(57)【要約】【課題】電線などのケーブルの芯線を損傷させることなく固定することができるようにしたケーブル固定用ネジを提供する。【解決手段】本ケーブル固定用ネジ１０は、ネジ穴１２２ａを形成した保持部１２２と、この保持部１２２と対峙して配置された接続部１２１との間で、ケーブルの先端から突出している芯線３ａを固定するため、前記ネジ穴１２２ａに螺合され、先端部が前記芯線３ａを接続部１２１に押し付けるもので、前記ネジ穴１２２ａに螺合する雄ネジを有し、周方向に回転することで進退するネジ本体部１１と、このネジ本体部１１の先端部に取り付けられて前記ケーブルの芯線３ａに接離する押当て部１２とが備えられ、前記押当て部１２が前記ネジ本体部１１の周方向の回転に連動することなく前記ケーブルの芯線３ａの側面に当たる樋状の凹部１２ａと、この凹部１２ａを芯線３ａの側面に沿うように向きを規制する突起部１２ｂを備えている。【選択図】図２
2011241923.tif 000002
【特許請求の範囲】
【請求項１】
ネジ穴を形成した保持部と、該保持部と対峙して配置された接続部との間で、ケーブルの先端から突出している芯線を固定するため、前記ネジ穴に螺合され、先端部が前記芯線を接続部に押し付けるようにしたケーブル固定用ネジであって、
前記ネジ穴に螺合する雄ネジを有し、周方向に回転することで進退するネジ本体部と、該ネジ本体部の先端部に取り付けられて前記ケーブルの芯線に接離する押当て部とが備えられ、前記押当て部が前記ネジ本体部の周方向の回転に連動することなく前記ケーブルの芯線の側面に当たる樋状の凹部と、該凹部を芯線の側面に沿うように向きを規制する突起部を備えていることを特徴とするケーブル固定用ネジ。
【請求項２】
前記ネジ本体部は、雄ネジを形成した導電性の軸部と、該軸部の基端部に拡径して設けられた絶縁性の頭部とからなることを特徴とする請求項１に記載のケーブル固定用ネジ。
【請求項３】
請求項１又は２に記載されたケーブル固定用ネジのネジ本体部を螺合するネジ穴を形成した保持部を有するケーブル固定用端子であって、
前記保持部には、前記突起部が移動する溝部がネジ穴に沿ってネジ穴の長さ方向に形成され、該溝部は、前記押当て部が前記ケーブルの芯線を押し当てた状態で、突起部が位置する長さに形成されていることを特徴とするケーブル固定用端子。
【発明の詳細な説明】
【技術分野】
【０００１】
本発明は、例えば、電力計その他の計器に備えられた保持部と接続部との間で、ケーブルの先端から突出した芯線を固定するケーブル固定用端子、及び前記保持部に形成されたネジ穴に螺合し、ケーブルの芯線を接続部に押し付けるケーブル固定用ネジに関する。
【背景技術】
【０００２】
計器の一例である電力量計は、図３に示すように、送電線に繋がる複数（図面では３本）の引込用電線１と需要家側の複数（図面では３本）の負荷側電力線２とを接続するためのケーブル固定用端子（以下、「端子」ともいう。）１００を備えている。この端子１００は、複数（図面では６個）の収容部１１１，１１１，…を並列した端子台１１０と、図４に示すように、この端子台１１０の内部に固定された帯板状の導電板１２０とを備えている。
【０００３】
各収容部１１１は、正面側に長穴状の正面開口部１１２を設け、下面側に丸穴状の下面開口部１１３を設けたものとされ、両開口部１１２，１１３が内部で連通している。また、導電板１２０は、下面開口部１１３から収容部１１１の奥側に固定される接続部１２１と、この収容部１１１の奥側で接続部１２１から正面開口部１１２の方に分岐して接続部１２１と平行に対峙した保持部１２２とを有している。保持部１２２には、正面開口部１１２に露出する２個のネジ穴１２２ａ，１２２ａが形成されている。
【０００４】
また、正面開口部１１２は通常、カバー１３０（図４では図示せず）によって覆われている。そして、下面開口部１１３から収容部１１１内に引込用電線１及び負荷側電力線２（以下、両電線１，２をまとめて「電線３」と総称する。）が挿通される。電線３は、芯線３ａを絶縁体で被覆したものであるが、先端部において、絶縁体が剥離され、芯線３ａが露出し、この芯線３ａが前記接続部１２１と保持部１２２との間に隙間をもって挟まれる。
【０００５】
そして、保持部１２２のネジ穴１２２ａにケーブル固定用ネジ（以下、「ネジ」ともいう。）１４０を螺合し、このネジ１４０を締めることで、ネジ１４０の先端部が芯線３ａを接続部１２１に押し付け、芯線３ａがネジ１４０の先端部と接続部１２１とに挟まれ、芯線３ａが端子１００に固定される。
【０００６】
なお、前記芯線３ａのようなクランプされる材料を、ダメージを与えることなく止めネジによって締め付けるようにしたファスナーが特許文献１に記載されている。このファスナーは、図５に示すように、概ね円筒形の止めネジ部材２１０と、概ね円柱状のピン２２０とを組み合わせたものとされている。
【０００７】
止めネジ部材２１０の第１端部には、ネジ回しなどを入れる駆動開口２１１が設けられ、他方の第２端部には、円筒形開口２１２が設けられている。また、ピン２２０は、止めネジ部材２１０の円筒形開口２１２内に挿入されるシャフト部２２１と、円筒形開口２１２の端面から突出してシャフト部２２１よりも拡径したヘッド部２２２とを有している。ヘッド部２２２の端面は、平坦に形成されている。
【０００８】
このファスナーは、ヘッド部２２２をクランプされる材料（図示せず）の方に向け、駆動開口２１１にネジ回しなどを入れて止めネジ部材２１０を周方向に回すことで、ピン２２０のヘッド部２２２が材料を締め付ける。止めネジ部材２１０の回り始めは、ピン２２０も回転するが、ピン２２０のヘッド部２２２が材料に接触すると、ピン２２０が回転することなく、材料をクランプする。したがって、このファスナーは、止めネジ部材２１０の最終回転において材料にダメージを与えないようにすることができる。
【先行技術文献】
【特許文献】
【０００９】
【特許文献１】特表２００５−５２７７４７号公報
【発明の概要】
【発明が解決しようとする課題】
【００１０】
電力量計の端子１００に電線３の芯線３ａを固定するに際して、ネジ１４０の先端部が回転しながら電線３の芯線３ａを接続部１２１に押し付ける。したがって、電線３の芯線３ａは、ネジ１４０の先端部によって側面が擦れるように捩られる。しかし、電線３の芯線３ａは、多数の細い素線を束ねて撚（よ）った撚り線が一般的に使用されているため、側面がネジ１４０の先端部によって擦られることで、解（ほぐ）されてしまい、接触不良となったり、損傷したりすることがある。
【００１１】
電線３の芯線３ａが解されないように、素線を半田付けすることも可能であるが、半田や半田鏝（ごて）などを用意しなければならず、その作業に手間が掛かるだけでなく、火傷（やけど）などの事故が起きることもある。
【００１２】
また、端子１００に固定される芯線３ａが、撚り線でなく、光ファイバのコアであっても、回転するネジ１４０によって捩られると、応力が生じ、塑性変形してしまうこともある。
【００１３】
また、電力量計は、端子１００に電線３の芯線３ａを固定した後であっても、需要家が転居などによって不在中に、その電線３の芯線３ａを端子１００から外したり、固定したりすることがある。しかし、需要家が不在で電力を消費していない状態においても、電線３の芯線３ａには、電圧がかかった状態となっていることから、電線３の芯線３ａを端子１００から外したり、固定したりする場合に、ネジ１４０を回すドライバのような工具の先端が他の端子１００や導通部に接触することで、短絡することがある。
【００１４】
特に、ネジ１４０が小さく、しかも、正面開口部１１２内の奥まった位置でネジ１４０を締めたり緩めたりする作業であることから、ネジ１４０によって短絡しやすいものとなっている。短絡すると、アークが発生し、作業者がやけどしてしまったり、停電してしまったりすることがある。短絡しないように、停電して作業することも可能であるが、そうすると、需要家に迷惑をかけることになる。
【００１５】
また、特許文献１に記載されたファスナーは、ピン２２０のヘッド部２２２の端面が平坦に形成されているため、ヘッド部２２２は、円柱状の電線３の芯線３ａを押し潰す状態となることがある。円柱状の電線３の芯線３ａに分布荷重が加えられるように、ヘッド部２２２の端面を樋形状とすることもできるが、単に樋形状としただけでは、ヘッド部２２２の向きを電線の芯線３ａの向きと一致させることができない。
【００１６】
そこで、本発明は、第１に電線などのケーブルの芯線を損傷させることなく固定することができるようにし、第２に電線などのケーブルの芯線を固定するに際して短絡することがないようしたケーブル固定用ネジ及びこのケーブル固定用ネジを螺合するネジ穴を形成した保持部を有するケーブル固定用端子を提供することを課題とする。
【課題を解決するための手段】
【００１７】
本発明に係るケーブル固定用ネジは、ネジ穴を形成した保持部と、該保持部と対峙して配置された接続部との間で、ケーブルの先端から突出している芯線を固定するため、前記ネジ穴に螺合され、先端部が前記芯線を接続部に押し付けるようにしたケーブル固定用ネジであって、前記ネジ穴に螺合する雄ネジを有し、周方向に回転することで進退するネジ本体部と、該ネジ本体部の先端部に取り付けられて前記ケーブルの芯線に接離する押当て部とが備えられ、前記押当て部が前記ネジ本体部の周方向の回転に連動することなく前記ケーブルの芯線の側面に当たる樋状の凹部と、該凹部を芯線の側面に沿うように向きを規制する突起部を備えていることを特徴としている。
【００１８】
このケーブル固定用ネジによれば、ネジ本体部の先端部に取り付けられた押当て部が、ネジ本体部の周方向の回転に連動することなくケーブルの芯線に当たることで、ネジ本体が周方向に回転しても、ケーブルの芯線を損傷させないで接続部に的確に押し付けることができる。すなわち、このケーブル固定用ネジは、ケーブルの芯線が、撚り線であると、解されることがなく、光ファイバのコアであると、塑性変形しないようにすることができる。
【００１９】
しかも、このケーブル固定用ネジは、押当て部が樋状の凹部を備え、この凹部がケーブルの芯線の側面に当たることで、芯線を面で押し付けることができる。そして、このケーブル固定用ネジは、押当て部が突起を備えていることにより、凹部の向きがケーブルの芯線の向きと一致するようにすることができる。
【００２０】
また、前記本発明に係るケーブル固定用ネジにおいて、前記ネジ本体部は、雄ネジを形成した導電性の軸部と、該軸部の基端部に拡径して設けられた絶縁性の頭部とからなることが好ましい。
【００２１】
このケーブル固定用ネジによれば、ネジ本体部の頭部が絶縁性を有しているため、頭部に当てるドライバのような工具が他の導通部と接触しても、短絡することがないようにすることができる。
【００２２】
また、本発明に係るケーブル固定用端子は、前記本発明に係るケーブル固定用ネジのネジ本体部を螺合するネジ穴を形成した保持部を有するケーブル固定用端子であって、前記保持部には、前記突起部が移動する溝部がネジ穴に沿ってネジ穴の長さ方向に形成され、該溝部は、前記押当て部が前記ケーブルの芯線を押し当てた状態で、突起部が位置する長さに形成されていることを特徴としている。
【００２３】
このケーブル固定用端子によれば、突起部が移動する溝部を保持部に形成したことにより、押当て部の凹部が芯線の側面に当たる向きに規制され、また、押当て部が前記ケーブルの芯線を押し当てた状態で、突起部が溝部内に位置するようにされていることにより、ケーブル固定用ネジを緩めるときに、押当て部が偏向することなく、芯線から離間する方向にネジ穴内を移動することができる。
【発明の効果】
【００２４】
本発明によれば、ネジ本体部の周方向の回転に連動せず、かつ、ケーブルの側面を樋状の凹部で押し付ける押当て部を備えたケーブル固定用ネジ、及びこのケーブル固定用ネジを螺合するネジ穴を形成した保持部を有するケーブル固定用端子が提供されることにより、ケーブルの芯線を損傷しないようにすることができる。
【図面の簡単な説明】
【００２５】
【図１】本発明に係るケーブル固定用ネジ及びケーブル固定用端子の一実施形態であって、（ａ）はケーブル固定用ネジをケーブル固定用端子に締める前を示す断面平面図、（ｂ）はケーブル固定用端子の正面図である。
【図２】本発明に係るケーブル固定用ネジ及びケーブル固定用端子の一実施形態であって、ケーブル固定用ネジをケーブル固定用端子に締めた後を示し、（ａ）は断面平面図、（ｂ）は断面側面である。
【図３】計器の一例である電力量計の斜視図である。
【図４】従来のケーブル固定用ネジをケーブル固定用端子に締めた後を示す断面側面図である。
【図５】従来のケーブル固定用ネジの一例としてのファスナーを示す断面正面図である。
【発明を実施するための形態】
【００２６】
本発明に係るケーブル固定用ネジ及びケーブル固定用端子の一実施形態について図１及び図２を参照しながら説明する。なお、従来と同一に相当する部分は、同一符号を付して説明する。
【００２７】
このケーブル固定用ネジ（以下、「ネジ」という。）１０は、図１に示すように、ネジ本体部１１と、このネジ本体部１１の先端部に取り付けられた押当て部１２とを備えている。ネジ本体部１１は、導電性の軸部１１ａの基端部に拡径した絶縁性の頭部１１ｂを設けたもので、例えば、インサート成形により、頭部１１ｂの周方向の回転に連動して軸部１１ａが周方向に回転するように、軸部１１ａと頭部１１ｂとが一体化されている。なお、ネジ本体部１１は、通常のネジのように導電性の軸部１１ａと導電性の頭部１１ｂとを一体成形し、頭部１１ｂを絶縁物でコーティングしたものとしてもよい。
【００２８】
軸部１１ａの周面には、端子１００の保持部１２２に形成されたネジ穴１２２ａに螺合する雄ネジが形成されている。また、軸部１１ａは、押当て部１２が備えられている分、従来よりも短くなっている。なお、いうまでもなく、頭部１１ｂの端面には、ドライバなどの工具（図示せず）の先端部が挿し込まれる「＋」又は「−」形状の溝状穴部１１ｃが形成されている。
【００２９】
そして、軸部１１ａの先端部に取り付けられた押当て部１２は、ネジ本体部１１の軸部１１ａが周方向に回転しても回転しないようにされている。そのため、軸部１１ａと押当て部１２とは、周方向の回転力を伝えない連結軸１３によって連結されている。
【００３０】
例えば、軸部１１ａの先端部と押当て部１２とに連結軸１３の各端部が挿し込まれる軸穴（図示せず）を形成しただけとしてもよいが、連結軸１３の両端部に拡大球状部（図示せず）を設け、軸部１１ａの先端部と押当て部１２とにそれぞれ、拡大球状部を嵌め込む球状の穴部（図示せず）を設け、両者１１ａ，１３，１２を連結することで、軸部１１ａと押当て部１２とが分離しないようにすることができる。また、連結軸１３の一端部又は他端部は、軸部１１ａ又は押当て部１２と一体化したものとしてもよい。
【００３１】
いずれにしても、押当て部１２の先端側には、電線３の芯線３ａの側面に当たる樋状の凹部１２ａが形成されている。ただし、樋形状の凹部１２ａは、円柱形状の先端面に形成されるため、図２（ｂ）に示すように、側面視が円弧状に形成される。
【００３２】
また、押当て部１２の側面には、１つ又は複数（図面では２か所）の突起部１２ｂが設けられ、この突起部１２ｂによって前記凹部１２ａの向きが電線３の芯線３ａの向きと一致するように当て部の向きを規制する。
【００３３】
したがって、保持部１２２には、この突起部１２ｂが移動する溝部１２２ｂをネジ穴１２２ａに沿ってネジ穴１２２ａの長さ方向に形成したものとされている。なお、ネジ本体部１１が締められると、押当て部１２が接続部１２１の方に向かって進行するが、押当て部１２が電線３の芯線３ａの側面に当たっても、突起部１２ｂが溝部１２２ｂ内に位置するように、保持部１２２は、従来よりも厚くされている。
【００３４】
また、保持部１２２の表面には、溝部１２２ｂから外向きに座ぐり部１２２ｃが形成され、この座ぐり部１２２ｃに塞ぎ板１２３（図２（ａ）参照）が着脱自在に嵌め込まれる。
【００３５】
ここで、前記のようなネジ１０を使用して、電線３の芯線３ａを端子１００に固定する操作について説明する。
【００３６】
まず、図１（ａ）に示すように、ネジ１０を端子１００の正面開口部１１２に持ってきて、ネジ１０の押当て部１２の突起部１２ｂが保持部１２２の溝部１２２ｂと向き合うように位置合わせする。そうすることで、押当て部１２の凹部１２ａが接続部１２１と保持部１２２との間に隙間をもって挟まれた電線３の芯線３ａの側面の向きと一致する。
【００３７】
そして、押当て部１２がネジ穴１２２ａ内に挿入され、軸部１１ａの先端がネジ穴１２２ａの入口に当たった状態からドライバのような工具を使用して、ネジ本体部１１の軸部１１ａをネジ穴１２２ａに締め込む。押当て部１２は、突起部１２ｂが溝部１２２ｂ内に嵌め込まれ、また、連結軸１３によって軸部１１ａと連結されていることから、回転することなく、凹部１２ａが電線３の芯線３ａの側面と向き合う状態を維持しつつ電線３の芯線３ａの方に進行する。
【００３８】
そして、図２に示すように、押当て部１２の凹部１２ａが電線３の芯線３ａの側面を押し付けると、ネジ本体部１１の締め付けを停止する。この停止した状態において、押当て部１２の突起部１２ｂは、溝部１２２ｂ内に位置している。
【００３９】
そして、押当て部１２は、回転しないことから、凹部１２ａが電線３の芯線３ａの側面を押し付けても、電線３の芯線３ａの側面を擦らない。したがって、電線３の芯線３ａは、捩られず、撚（よ）られた多数の素線は解（ほぐ）れることなく、接続部１２１に固定される。
【００４０】
しかも、押当て部１２の凹部１２ａと電線３の芯線３ａとは、面で接触するため、電線３の芯線３ａは、接続部１２１だけでなく、ネジ１０の押当て部１２、連結軸１３、そして、軸部１１ａを介して、保持部１２２とも良好に導通する。
【００４１】
そして、ネジ１０の締付けが終了した後、座ぐり部１２２ｃに塞ぎ板１２３を嵌め込む。塞ぎ板１２３は、溝部１２２ｂを塞ぐ状態となる。
【００４２】
次に、電線３の芯線３ａを接続部１２１から外す操作について説明する。電線３の芯線３ａを接続部１２１から外すには、ネジ１０を緩めることで、押当て部１２を電線３の芯線３ａから離間させる。押当て部１２は、突起部１２ｂが溝部１２２ｂ内に位置し、軸部１１ａと共回りしないことから、ネジ穴１２２ａ内を正面開口部１１２の方に移動する。
【００４３】
すなわち、仮に、突起部１２ｂが溝部１２２ｂ内から外れて電線３の芯線３ａの方まで移動し、保持部１２２と接続部１２１との間の空間内に位置していると、押当て部１２がわずかにでも回転することで、突起部１２ｂが溝部１２２ｂ内に嵌らず、押当て部１２がネジ穴１２２ａ内を移動できないが、突起部１２ｂが溝部１２２ｂ内に位置していることにより、ネジ本体部１１を緩めると、押当て部１２は確実にネジ穴１２２ａ内を正面開口部１１２側へ移動する。
【００４４】
そして、突起部１２ｂが塞ぎ板１２３に当たることで、緩められたネジ１０は、停止する。すなわち、仮に、塞ぎ板１２３が座ぐり部１２２ｃに嵌め込まれていないと、ネジ１０の軸部１１ａが従来のネジ１４０の軸部１１ａよりも短くされていることから、従来のネジ１４０を外す感覚でネジ１０を緩めると、軸部１１ａがネジ穴１２２ａから早く外れ、ネジ１０が脱落してしまうことがありえるが、突起部１２ｂが塞ぎ板１２３に当たることで、ネジ１０が脱落しないようにされている。
【００４５】
このように、本ネジ１０は、本端子１００との組み合わせによって、電線３の芯線３ａを接続部１２１に固定したり、外したり、好適に作業することができる。また、この一連の作業において、ネジ１０は、頭部１１ｂが絶縁性を有していることから、ドライバのような工具の先端部が溝状穴部１１ｃに嵌め入れられ、工具の中間部が他の端子１００や導通部に接触しても、短絡することがない。
【００４６】
なお、本発明は、前記の実施形態に限定することなく、種々変更することができる。例えば、電線３は、電力量計のような計器の端子１００に固定するものでなく、任意のコネクタに接続する場合でも実施することができ、したがって、ネジ１０は、電線３の芯線３ａでなく、光ファイバのコアを任意のコネクタの接続部に固定することもできる。また、特に、光ファイバのようなケーブルを固定する場合のように、短絡を考慮する必要がない場合は、ネジ本体は、頭部１１ｂも導通性を有するものとしてもよい。
【００４７】
また、ネジ本体は、頭部１１ｂを有さず、ドライバなどの工具を挿し込むための溝状穴部１１ｃを軸部１１ａに形成したものであっても実施することができる。また、端子１００は、座ぐり部１２２ｃを形成せず、したがって、塞ぎ板１２３を座ぐり部１２２ｃに嵌め込まないものでも実施することができる。
【符号の説明】
【００４８】
３…………電線（ケーブル）
３ａ………芯線
１０………ケーブル固定用ネジ（ネジ）
１１………ネジ本体部
１１ａ……軸部
１１ｂ……頭部
１２………押当て部
１２ａ……凹部
１２ｂ……突起部
１００……ケーブル固定用端子（端子）
１２１……接続部
１２２……持部
１２２ａ…ネジ穴
１２２ｂ…溝部
【図１】
2011241923.tif 000003
【図２】
2011241923.tif 000004
【図３】
2011241923.tif 000005
【図４】
2011241923.tif 000006
【図５】
2011241923.tif 000007